(57)【特許請求の範囲】
【請求項１】
保護フィルムおよび保護カバーを備え、
前記保護フィルムは、表示画面を有する電子機器の該表示画面を含んで電子機器の一方側の面に吸着して貼着されるものであり、
前記保護カバーは、少なくとも前記表示画面に対応する領域を省いて枠状に形成されるとともに、前記保護フィルムの周囲の一部に貼着される貼着部を有して該保護フィルムの外側から重ねられて電子機器の一方側の面の縁部に装着されるものであり、
前記保護フィルムは表示画面に貼着される一貼着領域部と、表示画面以外の領域に貼着される部分であって保護カバーの貼着部が貼着される他貼着領域部とを備え、
前記一貼着領域部および他貼着領域部の間にスリットが形成されていることを特徴とする電子機器用保護具。
【請求項２】
スリットは、所定の幅をもって保護フィルムを切除することで形成されている請求項１記載の電子機器用保護具。
【請求項３】
保護カバーの貼着部による保護フィルムへの貼着力は、保護フィルムの吸着による貼着力に比べて大きく設定されている請求項１または請求項２の何れか１項に記載の電子機器用保護具。
【請求項４】
保護カバーは金属製である請求項１ないし請求項３の何れか１項に記載の電子機器用保護具。
【発明の詳細な説明】
【技術分野】
【０００１】
本発明は、スマートフォンや携帯電話、あるいは電子辞書等の表示画面を備えた電子機器に用いられ、該電子機器を保護するための電子機器用保護具に関する。
【背景技術】
【０００２】
近年、液晶ディスプレイと称される表示画面は多様化され、スマートフォン、携帯電話、電子辞書、ナビゲーション等の電子機器において用いられている。これらの電子機器において、表示画面をスクラッチ等の発生から防止するために保護フィルムが貼着されることがある。一例として、この種の保護フィルムは、下記特許文献１（通信機器として携帯電話が例示）に記載されている。
【０００３】
保護フィルムが電子機器に対して接着剤を用いて接着されると、保護フィルムを剥がす必要が生じた場合には、電子機器において保護フィルムを剥がした部分に接着剤が残留してしまい、見栄えが低下する。そこで保護フィルムを、シリコン素材等を用いたものにすることで、接着剤を用いなくても電子機器に貼着できるようになる。
【０００４】
この種の電子機器における電子機器の表面をスクラッチ等の発生から保護する保護カバーが存在する。一例として、保護カバーは下記特許文献２に記載されている。この保護カバーは伸縮性に富んだ材料から形成され、電子機器の少なくとも一方側の面の縁に沿う枠状に形成されている。この場合の枠状とは、少なくとも表示画面に相当する領域を取り除いた矩形形状である。
【０００５】
また、保護カバーは、伸縮性に富んだ材料とは別に、金属のように塑性変形性が顕著な材料で形成されたものが存在する。この場合、保護カバーが電子機器から容易に離脱しないように、保護カバーの裏面の一部に接着部を施して電子機器の表面に接着される。しかしながら、保護カバーが電子機器に対して接着剤を用いて接着されると、保護カバーを取外す必要が生じた場合には、電子機器において保護カバーを取外した部分に接着剤が残留してしまい、見栄えが低下する。
【０００６】
そこで、保護フィルムを表示画面のみならず、表示画面を含む電子機器の一方側の面における略全体を保護するように貼着して保護カバーを装着すれば、保護カバーを取外しても、保護フィルムに接着剤が残留するだけで、電子機器の表面には接着剤が残留しない。
【０００７】
ところで保護フィルムは、保護フィルムと表示画面との間に空気が入らないように貼着されることが好ましい。保護フィルムと表示画面の間に空気が入ると、表示画面に表示された文字や図柄が使用者に視認しにくいからである。しかしながら、何らかの理由により保護カバーが塑性変形して例えば反った状態にあると、保護カバーと保護フィルムとは接着剤によって接着されているため、反った形状の保護カバーに保護フィルムの形状が倣う（保護フィルムが電子機器の表面から浮く）ことになる。そうなると、保護フィルムと表示画面との間に空気が入らないように保護フィルムを表示画面に貼着することができない。
【先行技術文献】
【特許文献】
【０００８】
【特許文献１】特表２００９−５０５６０６号公報
【特許文献２】実用新案登録第３１６５０９４号公報
【発明の概要】
【発明が解決しようとする課題】
【０００９】
そこで本発明は、保護カバーが本来の形状でない形状に塑性変形されても、保護フィルムと表示画面との間に空気を入れないように保護フィルムを表示画面に貼着し得る電子機器用保護具の提供を目的とする。
【課題を解決するための手段】
【００１０】
本発明の電子機器用保護具は、保護フィルムおよび保護カバーを備え、前記保護フィルムは、表示画面を有する電子機器の該表示画面を含んで電子機器の一方側の面に吸着して貼着されるものであり、前記保護カバーは、少なくとも前記表示画面に対応する領域を省いて枠状に形成されるとともに、前記保護フィルムの周囲の一部に貼着される貼着部を有して該保護フィルムの外側から重ねられて電子機器の一方側の面の縁部に装着されるものであり、前記保護フィルムは表示画面に貼着される一貼着領域部と、表示画面以外の領域に貼着される部分であって保護カバーの貼着部が貼着される他貼着領域部とを備え、前記一貼着領域部および他貼着領域部の間にスリットが形成されていることを特徴としている。
【００１１】
上記構成において、保護フィルムを、表示画面を有する電子機器の表示画面を含んで電子機器の一方側の面に吸着により貼着し、保護フィルムの周囲の一部に貼着部が貼着されるように保護カバーを保護フィルムの外側から重ねて電子機器の一方側の面の縁部に装着すると、保護カバーは、表示画面に対応する領域を省いて枠状に形成されているから、保護フィルムを介して表示画面での表示を視認し得る状態にある。
【００１２】
保護フィルムに、表示画面に貼着される一貼着領域部と、表示画面以外の領域に貼着される部分であって保護カバーの貼着部が貼着される他貼着領域部とを備え、一貼着領域部および他貼着領域部の間にスリットが形成されている構成であるから、スリットによって一貼着領域部と他貼着領域部とは縁が切られており（繋がりが途切れており）、保護カバーが保護フィルムに貼着された状態で保護カバーが電子機器から外される方向に反られる等の塑性変形を生じた際に、保護カバーの塑性変形に倣う部分は、保護カバーの貼着部が貼着された他貼着領域部のみであって、表示画面に貼着された一貼着領域部は剥がされない。
【００１３】
本発明の電子機器用保護具では、スリットは、所定の幅をもって保護フィルムを切除することで形成された構成を採用することができる。この構成によれば、他貼着領域部が剥がされ、他貼着領域部が再び表示画面以外の領域に貼着された場合に、他貼着領域部が一貼着領域部に重なってしまう状態が回避できる。
【００１４】
本発明の電子機器用保護具では、保護カバーの貼着部による保護フィルムへの貼着力は、保護フィルムの吸着による貼着力に比べて大きく設定された構成を採用することができる。この構成によれば、一貼着領域部および他貼着領域部のうち、他貼着領域部のみが確実に剥がされる。
【００１５】
本発明の電子機器用保護具では、保護カバーは金属製である構成を採用することができる。塑性変形し易い金属を保護カバーとして用いていて、保護カバーが保護フィルムに貼着された状態で保護カバーが電子機器から外される方向に反られる等の塑性変形の状態を保形した際でも、スリットによって一貼着領域部および他貼着領域部の縁が切られているから、他貼着領域部のみが剥がされ、一貼着領域部は貼着された状態を維持する。
【発明の効果】
【００１６】
本発明の電子機器用保護具は、保護フィルムに、表示画面に貼着される一貼着領域部と、表示画面以外の領域に貼着される部分であって保護カバーの貼着部が貼着される他貼着領域部とを備え、一貼着領域部および他貼着領域部の間にスリットを形成した構成であるから、スリットの存在によって一貼着領域部と他貼着領域部とは縁が切られており（繋がりが途切れており）、保護カバーが保護フィルムに貼着された状態で保護カバーが電子機器から外される方向に反られる等の塑性変形をした際に、保護カバーの塑性変形に倣う部分は、保護カバーの貼着部が貼着された他貼着領域部のみであって、表示画面に貼着された一貼着領域部は剥がされないから、保護フィルムと表示画面との間に空気を入れないように保護フィルムを表示画面に貼着しておくことができる。
【図面の簡単な説明】
【００１７】
【図１】本発明の一実施形態に係る保護具が用いられる電子機器の単体斜視図である。
【図２】同保護具のうちの表面側フィルムの正面図である。
【図３】同保護具のうちの裏面側フィルムの背面図である。
【図４】同保護具のうちの表面側カバーの正面図である。
【図５】同表面側カバーの縦断面図である。
【図６】同表面側カバーの底面図である。
【図７】同保護具のうちの裏面側カバーの背面図である。
【図８】同裏面側カバーの縦断面図である。
【図９】同裏面側カバーの平面図である。
【図１０】同他の実施形態に係る保護具のうち、表面側フィルムの正面図である。
【発明を実施するための形態】
【００１８】
以下、図１ないし図９を参照して、本発明の一実施形態に係る電子機器用保護具（以下単に「保護具」と称する）１を説明する。なお、以下の説明においては、保護具１が装着される電子機器２として、代表的なスマートフォンであるアップル社のｉＰｈｏｎｅ（アップル社が許諾を受けたアイホン社の登録商標）を用いて説明する。しかしながら、本発明は電子機器２としてｉＰｈｏｎｅに限らず、携帯電話、タブレットＰＣ、電子辞書等の表示画面を備えたものに適用可能である。
【００１９】
本実施形態における電子機器２は、図１に示すように、四隅に円弧状の面取り２ａが形成されているものの、全体として所定の厚みを備えた略直方体形状である。電子機器２の一方側（表側）の面３の周縁部および他方側（裏側）の面４の周縁部に、該周縁部に沿った窪み５，６が形成されている。また、電子機器２は一方側の面３にスピーカ７、ホームボタン８等を備えている。さらに、図示しないが、電子機器２は他方側の面４にカメラレンズが露出して設けられている。
【００２０】
図２ないし図９に示すように、保護具１は、電子機器２を保護する保護フィルム９および保護カバー１０を備えている。保護フィルム９は表面側フィルム１１および裏面側フィルム１２を備えている。保護カバー１０は表面側カバー１３および裏面側カバー１４を備えている。
【００２１】
〔表面側フィルムの全体概略構成〕
図２に示すように、表面側フィルム１１は、貼着面側にシリコンフィルムを用い外側面にＰＥＴ（ポリエチレンテレフタレート）フィルムを用いたシリコン素材から形成される積層フィルムである。表面側フィルム１１は、電子機器２の表示画面１５を含んで電子機器２の一方側の面３に、窪み５，６を除いて貼着されるものである。そして前記素材を用いて形成されていることで、電子機器２の一方側の面３に、吸着によって貼着される。表面側フィルム１１は、四隅部に円弧形状部１１ａを備えるものの、全体として略矩形に形成されている。
【００２２】
〔表面側フィルム（一貼着領域部）の構成〕
同図に示すように、表面側フィルム１１は、一貼着領域部（以下「中央側貼着領域部」と称する）１６と、他貼着領域部（以下「端側貼着領域部」と称する）１７とを備える。中央側貼着領域部１６は、表示画面１５の全域および表示画面１５の左右両側にわずかにはみ出るように貼着される。中央側貼着領域部１６は略矩形のフィルムである。
【００２３】
〔表面側フィルム（他貼着領域部）の構成〕
同図に示すように、端側貼着領域部１７は、表示画面１５以外の領域、すなわち表示画面１５の上側領域および下側領域に貼着される部分である。また、端側貼着領域部１７は、後述する保護カバー１０の貼着部が貼着される部分である。端側貼着領域部１７は中央側貼着領域部１６に一体的に形成されている。端側貼着領域部１７は、表示画面１５の上側領域に貼着される一方側貼着領域（以下「上側貼着領域」と称する）１８、および表示画面１５の下側領域に貼着される他方側貼着領域（以下「下側貼着領域」と称する）１９を備えている。
【００２４】
上側貼着領域１８には、前述した円弧形状部１１ａが形成されている。上側貼着領域１８には、例えば電子機器２が備えるスピーカ７に対応する部分に孔１８ａが形成されている。下側貼着領域１９には、前述した円弧形状部１１ａが形成されている。下側貼着領域１９には、例えば電子機器２が備えるホームボタン８に対応する部分に孔１９ａが形成されている。
【００２５】
〔スリットの構成〕
同図に示すように、表面側フィルム１１にはスリットが形成されており、中央側貼着領域部１６と端側貼着領域部１７とは、スリットによって区画されている。スリットは、表面側フィルム１１の長手方向一方側に形成された一方側スリット（以下「上側スリット」と称する）２０および長手方向他方側に形成された他方側スリット（以下「下側スリット」と称する）２１を備える。上側スリット２０および下側スリット２１は、それぞれ同一の一定幅ｂ１を備えており、表面側フィルム１１の左右方向中心へ向けて表面側フィルム１１の上下の縁１１ｂ，１１ｃに平行に形成されている。このようなスリットは、表面側フィルム１１の一部を切除することで形成されている。
【００２６】
前述したように、中央側貼着領域部１６および端側貼着領域部１７は一体的に形成されている。具体的には、上側スリット２０および下側スリット２１が、表面側フィルム１１の左右方向中心部２２，２３を残して形成されていることで、中央側貼着領域部１６および端側貼着領域部１７は一体的に形成されている。
【００２７】
〔貼着領域部とスリットとの関係〕
前述のように、中央側貼着領域部１６と端側貼着領域部１７とは、スリットによって区画されている。具体的には、中央側貼着領域部１６と端側貼着領域部１７の上側貼着領域１８とは、上側スリット２０における下縁２０ａを境界として区画されている。中央側貼着領域部１６と端側貼着領域部１７の下側貼着領域１９とは、下側スリット２１における上縁２１ａを境界として区画されている。
【００２８】
〔裏面側フィルムの構成〕
図３に示すように、裏面側フィルム１２は、電子機器２の他方側の面４に、窪み５，６を除いて貼着されるものである。そして、前記素材を用いて形成されていることで、電子機器２の他方側の面４に、吸着によって貼着される。図３に示すように、裏面側フィルム１２は、四隅部に円弧形状部１２ａを備えるものの、全体として略矩形に形成されている。また、裏面側フィルム１２には、電子機器２のカメラレンズ部（図示せず）に対応する領域に孔１２ｂが形成されている。
【００２９】
〔保護カバー（表面側カバー）の構成〕
図４ないし図６に示すように、表面側カバー１３は、金属（この場合、アルミニウム）を板状に成型することで形成されている。表面側カバー１３は、電子機器２の一方側の面３の形状に対応するよう四隅部に円弧形状部１３ａが形成されている。さらに具体的には、表面側カバー１３は、電子機器２の一方側の面３を覆う表主板部２４と、表主板部２４の周縁に沿って形成されるとともに、電子機器２の他方側の面４に向けて前記周縁から折曲された表嵌合部２５とを備える。
【００３０】
表主板部２４には、電子機器２の表示画面１５に対応する領域に矩形の画面用窓部２６が形成されている。表主板部２４は、画面用窓部２６を備えることにより正面視して枠状に形成されている。さらに具体的には、表主板部２４は上板部２７、下板部２８、および左右の側板部２９，３０を備えている。上板部２７には、電子機器２のスピーカ７に対応する部分に窓部１３ｂが形成されている。下板部２８には、ホームボタン８に対応する部分に別の窓部１３ｃが形成されている。なお、画面用窓部２６および窓部１３ｂ，１３ｃの縁は、それぞれ窓の内側ほど奥側（裏側）に向けて傾斜した傾斜面とされている。そして、左右の側板部２９，３０における左右方向の幅ｂ２，ｂ２（同一幅）は、上板部２７および下板部２８における上下方向の幅ｂ３，ｂ４に比べて極端に小さく形成されている。
【００３１】
図４および図５に示すように、表主板部２４の裏面に、表接着剤（この場合両面粘着テープ）３１が施されている。この表接着剤３１が、保護カバー１０の前記貼着部に相当する。具体的には、表接着剤３１は、上板部２７および下板部２８のみに施され、しかも、上板部２７および下板部２８のそれぞれに、左右に離間して配置されている。換言すれば、表接着剤３１は、上板部２７および下板部２８の裏面全面にあるのではない。そして、表接着剤３１の接着力は、表面側フィルム１１の吸着による貼着力に比べて大きく設定されている。
【００３２】
表接着剤３１の左右幅は、上側スリット２０の左右幅内に収まるよう施されている。また表接着剤３１の上下方向の高さは、特に限定されるものではないが、表接着剤３１としては、例えば上側にある一対の表接着剤３１によって、表面側フィルム１１を順次剥がすことのできる程度の接着力（接着面積）が好ましい。
【００３３】
図５に示すように、表嵌合部２５は、電子機器２の一方側の面３の周縁部に沿った窪み５に前方から嵌合される部分であり、窪み５と略同一の厚みｂ５を備えている。また、窪み５と略同一の高さｈ１を備えている。なお、図６に示すように、下板部２８の背面側に、表面側カバー１３を電子機器２から取外す際に使用者が指を掛ける溝１３ｄが形成されている。
【００３４】
〔保護カバー（裏面側カバー）の構成〕
図７ないし図９に示すように、裏面側カバー１４は、金属（この場合、アルミニウム）を板状に成型することで形成されている。裏面側カバー１４は、電子機器２の他方側の面４の形状に対応するよう四隅部に円弧形状部１４ａが形成されている。さらに具体的には、裏面側カバー１４は、電子機器２の他方側の面４を覆う裏主板部３２と、裏主板部３２の周縁に沿って形成されるとともに、電子機器２の一方側の面３に向けて前記周縁から折曲された裏嵌合部３３とを備える。
【００３５】
裏主板部３２には、電子機器２のカメラレンズに対応する領域にレンズ用窓部１４ｂが形成されている。裏主板部３２の裏面に、裏接着剤（この場合両面粘着テープ）３４が施されている。具体的には、裏接着剤３４は、レンズ用窓部１４ｂを除いた略全面に施されている。レンズ用窓部１４ｂの縁は、窓の内側ほど奥側（表側）に向けて傾斜した傾斜面とされている。裏接着剤３４の接着力は、裏面側フィルム１２の吸着による貼着力に比べて大きく設定されている。
【００３６】
図８に示すように、裏嵌合部３３は、電子機器２の他方側の面４の周縁部に沿った窪み６に後方から嵌合される部分であり、窪み６と略同一の厚みｂ６を備えている。また、窪み６と略同一の高さｈ２を備えている。なお、図９に示すように、裏嵌合部３３の下部に、裏面側カバー１４を電子機器２から取外す際に使用者が指を掛ける溝１４ｃが形成されている。
【００３７】
上記構成の保護具１は、例えば次のようにして電子機器２に装着される。まず、表面側フィルム１１を電子機器２の一方側の面３、すなわち表示画面１５を備えるほうの面３に貼着する。このとき、電子機器２のスピーカ７に上側貼着領域１８の孔１８ａを位置合わせし、ホームボタン８に下側貼着領域１９の孔１９ａを位置合わせし、中央側貼着領域部１６を表示画面１５の全域に位置合わせして、表面側フィルム１１を電子機器２の一方側の面３に前側から貼着する。このようにすることで、表面側フィルム１１を電子機器２の一方側の面３の、窪み５を除いて、略全面に貼着することができる。
【００３８】
表面側フィルム１１は、シリコン素材から形成されているから、電子機器２の一方側の面３に、吸着によって容易に貼着することができる。そして、表示画面１５と表面側フィルム１１との間に空気が入ってしまった場合には、表面側フィルム１１を空気の部分まで剥がして、空気が入らないように貼着し直すことができる。
【００３９】
なお、本実施形態では、表面側フィルム１１に左右方向中心部２２，２３を残して上側スリット２０、下側スリット２１を形成している。これは、仮に中央側貼着領域部１６と端側貼着領域部１７とを完全に分離してしまった場合、中央側貼着領域部１６と端側貼着領域部１７とを位置合わせして、両者が重ならないよう一方側の面３に貼着することは難しいからである。しかしながら、本実施形態では、表面側フィルム１１を一方側の面３に貼着するのに、例えば，上側スリット２０における下縁２０ａ、下側スリット２１における上縁２１ａを目安にして表示画面に１５に中央側貼着領域部１６を貼着することで、端側貼着領域部１７を電子機器２における一方側の面３の上部および下部に、容易に貼着することができる。
【００４０】
続いて、例えば表面側カバー１３を電子機器２の一方側の面３に装着する。この場合、表面側カバー１３の上下を選択して、表面側カバー１３の表嵌合部２５を窪み５に前側から嵌合する。このようにすることで、表面側カバー１３の上板部２７および下板部２８に、左右に離間して配置された表接着剤３１が、表面側フィルム１１の上側貼着領域１８および下側貼着領域１９にそれぞれ接着により貼着される。これによって、電子機器２の一方側の面３と表面側フィルム１１とは表面側フィルム１１の吸着力によって一体化され、表面側フィルム１１と表面側カバー１３とは表接着剤３１の接着力により一体化される。
【００４１】
次に、裏面側フィルム１２を、孔１２ｂをカメラレンズに位置合わせするようにして、電子機器２の他方側の面４に後側から貼着する。この場合も、裏面側フィルム１２を電子機器２の他方の面４の、窪み６を除いて、略全面に貼着することができる。そしてこの貼着は、裏面側フィルム１２の吸着による貼着である。
【００４２】
続いて、裏面側カバー１４を電子機器２の他方側の面４に装着する。この場合、裏面側カバー１４の上下を選択して、裏面側カバー１４の裏嵌合部３３を窪み６に後側から嵌合する。このようにすることで、裏面側カバー１４の裏面に施された裏接着剤３４が、裏面側フィルム１２の略全面に接着により貼着される。これによって、電子機器２の他方側の面４と裏面側フィルム１２とは裏面側フィルム１２の吸着力によって一体化され、裏面側フィルム１２と裏面側カバー１４とは裏接着剤３４の接着力により一体化される。
【００４３】
以上は、電子機器２への保護具１の装着手順の一例であるが、表面側フィルム１１、裏面側フィルム１２の貼着順序、表面側カバー１３、裏面側カバー１４の接着順序は、使用者によって任意である。
【００４４】
以上のようにして、電子機器２に対して保護具１を装着して、仮に表面側カバー１３を電子機器２から取外し、表面側フィルム１１を剥がした場合に、一方側の面３および表面側フィルム１１は、表面側フィルム１１の吸着力によって貼着されており、表面側カバー１３と表面側フィルム１１が表接着剤３１によって接着されているから、表接着剤３１は電子機器２の一方側の面３には残留しない。しかも、表接着剤３１の接着力は、表面側フィルム１１の吸着による貼着力に比べて大きく設定されている。このため表面側カバー１３を電子機器２から取外すことで、表面側カバー１３の取外しとともに、表面側フィルム１１も電子機器２から剥がすことができる。
【００４５】
同様に、電子機器２に対して保護具１を装着して、仮に裏面側カバー１４を電子機器２から取外し、裏面側フィルム１２を剥がした場合に、他方側の面４および裏面側フィルム１２は、裏面側フィルム１２の吸着力によって貼着されており、裏面側カバー１４と裏面側フィルム１２が裏接着剤３４によって接着されているから、裏接着剤３４は電子機器２の他方側の面４には残留しない。しかも、裏接着剤３４の接着力は、裏面側フィルム１２の吸着による貼着力に比べて大きく設定されている。このため裏面側カバー１４を電子機器２から取外すことで、裏面側カバー１４の取外しとともに、裏面側フィルム１２も電子機器２から剥がすことができる。
【００４６】
ところで、保護具１のうち、表面側カバー１３（裏面側カバー１４）は、金属（この場合、アルミニウム）を板状に成型することで形成されている。このような金属は塑性変形し易い。このような保護具１は、製造元から販売先にまで搬送され、納品される。特に、保護具１のうち表面側カバー１３は、電子機器２の表示画面１５に対応する領域に矩形の画面用窓部２６を備えて枠状に形成されている。そして、左右の側板部２９，３０における左右方向の幅ｂ２，ｂ２は、上板部２７および下板部２８における上下方向の幅ｂ３，ｂ４に比べて極端に小さく形成されている。
【００４７】
このため、表面側カバー１３において、特に左右の側板部２９，３０は、塑性変形を起こし易い。この場合の塑性変形とは、特に側板部２９，３０の上部や下部が、前側に向かって反るような変形を想定している。換言すれば、上板部２７や下板部２８が、前側に位置してしまい、表面側カバー１３の表面が平面状にないような場合である。
【００４８】
本実施形態の保護具１においては、表面側フィルム１１を電子機器２の一方側の面３に貼着した後に表面側フィルム１１を装着するものであるが、仮に上記のような塑性変形が表面側カバー１３に発生している状態で、表面側カバー１３を電子機器２に装着すると、上述したように、表接着剤３１が表面側フィルム１１のうち、上側貼着領域１８、下側貼着領域１９に貼着される。そうすると、表接着剤３１の接着力は、表面側フィルム１１の吸着による貼着力に比べて大きく設定されているから、表接着剤３１の接着力が、一旦電子機器２の一方側の面３に貼着された表面側フィルム１１を表面側カバー１３の変形に倣うように一方側の面３から剥がす力として働く。
【００４９】
しかしながら、表接着剤３１は、上側貼着領域１８、下側貼着領域１９に接着されており、上側貼着領域１８および下側貼着領域１９（端側貼着領域部１７）と中央側貼着領域部１６とは、スリットによって区画されている。具体的には、中央側貼着領域部１６と端側貼着領域部１７の上側貼着領域１８とは、上側スリット２０における下縁２０ａを境界として区画され、中央側貼着領域部１６と端側貼着領域部１７の下側貼着領域１９とは、下側スリット２１における上縁２１ａを境界として区画されている。このように、上側貼着領域１８および下側貼着領域１９と中央側貼着領域部１６とは、スリットによって縁が切られている（繋がりが途切れている）。
【００５０】
換言すれば、スリットは、表面側カバー１３の変形を中央側貼着領域部１６に及ぼさないように形成されている。このため、表面側フィルム１１のうち、表示画面１５に貼着された中央側貼着領域部１６には、表面側カバー１３の変形の影響が及びにくい。したがって、表示画面１５に貼着された中央側貼着領域部１６が、表示画面１５から浮くような（剥がれるような）状態を回避でき、表示画面１５と中央側貼着領域部１６との間に空気が入る状態を阻止することができる。
【００５１】
なお、上記説明では表面側カバー１３が電子機器２への装着前に変形していた場合を示した。しかしながら、表面側カバー１３に変形がない状態でこれを電子機器２へ装着した後、使用者の都合、例えば表面側カバー１３を取外そうとして溝１３ｄあるいは溝１４ｃに指を掛け、結局表面側カバー１３を戻したような場合でも、表面側カバー１３に塑性変形が発生している場合がある。このような場合でも、表面側カバー１３に倣うのは、上側貼着領域１８、下側貼着領域１９のみであって、表示画面１５に貼着された中央側貼着領域部１６が、表示画面１５から浮くような（剥がれるような）状態を回避でき、表示画面１５と中央側貼着領域部１６との間に空気が入る状態を阻止することができる。
【００５２】
本発明は、その主旨を逸脱しない範囲で種々変形が可能である。その他、各部の具体的構成についても上記実施形態に限られるものではない。例えば、上記実施形態では、表面側カバー１３を取外そうとした場合に、使用者が溝１３ｄあるいは溝１４ｃに指を掛けることで、側板部２９，３０の上部や下部が、前側に向かって反るような変形を想定して、上側スリット２０および下側スリット２１を、表面側フィルム１１の左右方向中心へ向けて表面側フィルム１１の上下の縁１１ｂ，１１ｃに平行に形成した。
【００５３】
しかしながら、使用者は必ずしも溝１３ｄあるいは溝１４ｃに指を掛けることで表面側カバー１３を取外そうとするとは限らない。このような場合を想定すると、スリットは上側スリット２０および下側スリット２１に加えて、上側貼着領域１８、下側貼着領域１９にあってしかも表接着剤３１を回避する位置で、上側スリット２０および下側スリット２１と直交する方向にも形成することが考えられる。
【００５４】
上記実施形態では、電子機器２としてアップル社のｉＰｈｏｎｅを用いて説明した。しかしながら、本発明は電子機器２としてｉＰｈｏｎｅに限らず、携帯電話、タブレットＰＣにも適用可能であり、特に、表面側フィルム１１に形成するスリットは、表示画面１５が例えば７インチの大きさのタブレットＰＣでは、図１０に示すように形成することが考えられる。同図に示した表面側フィルム１１では、所定の幅に形成されたスリットＳ１〜Ｓ４は表面側フィルム１１の四隅部に、それぞれ直交する方向に形成されている。この場合、表面側カバーに施す表接着剤（図示せず）は、表面側フィルム１１において、表示画面１５に貼着される中央側貼着領域部１６の外周に配置された四辺の縁部Ｆ１〜Ｆ４に、その長手方向に離間して接着される。
【００５５】
また、上記各実施形態では、スリットは所定の幅を有した形状に形成した。しかしながら、単に線状のスリットであってもよい。また線状のスリットとしたうえで、該スリットの終端部に、例えば円形の切欠を連続して形成してもよい。
【００５６】
さらに上記各実施形態では、保護カバー１０は金属を用いて形成された例を示した。しかしながら、保護カバー１０は金属に限らず、塑性変形をし易い材質で、変形後の保形性を維持し易い材質であればよい。また、保護フィルム９は、シリコン素材から形成される場合に限定されず、ウレタン系素材やＰＥＴ素材のみで形成されたものや、ポリ塩化ビニルから形成されたものであってもよい。
【符号の説明】
【００５７】
１…保護具、２…電子機器、３…一方側の面、４…他方側の面、５，６…窪み、９…保護フィルム、１０…保護カバー、１１…表面側フィルム、１２…裏面側フィルム、１３…表面側カバー、１４…裏面側カバー、１５…表示画面、１６…中央側貼着領域部、１７…端側貼着領域部、１８…上側貼着領域、１９…下側貼着領域、２０…上側スリット、２０ａ…下縁、２１…下側スリット、２１ａ…上縁、２２，２３…左右方向中心部、２６…画面用窓部、２９，３０…側板部、３１…表接着剤
【図１】
0005622822.tif 000002
【図２】
0005622822.tif 000003
【図３】
0005622822.tif 000004
【図４】
0005622822.tif 000005
【図５】
0005622822.tif 000006
【図６】
0005622822.tif 000007
【図７】
0005622822.tif 000008
【図８】
0005622822.tif 000009
【図９】
0005622822.tif 000010
【図１０】
0005622822.tif 000011